(57)【要約】【課題】  電動丸鋸盤の照明装置において、従来ロックオフスイッチを解除して点灯させる構成であったので、工具本体が不用意に起動するおそれがある状態で照明装置を用いる必要があった。本発明では、このような問題のない照明装置を備えた電動工具を提供する。【解決手段】  工具本体を起動させるためのスイッチレバー１１の操作範囲をロックオフスイッチ２０により二分して、その前側の操作範囲での引き操作により照明スイッチ３３がオンして照明具が点灯される構成とする。【選択図】        図４
2005335005.tif 000002
【特許請求の範囲】
【請求項１】
ハンドル部に引き操作可能に設けたトリガ形式のスイッチレバーと、該スイッチレバーの引き操作をその全操作範囲の中途位置で規制する規制位置と許容する非規制位置との間を移動操作可能に設けた操作範囲規制部材と、主として加工部位を照らすための照明具と該照明具を点灯するための照明スイッチを有する照明装置を備え、
前記操作範囲規制部材により二分される前記スイッチレバーの全操作範囲の後半部まで前記スイッチレバーを引き操作すると、メインスイッチがオンして工具本体に内蔵した電動モータが起動する電動工具であって、
前記操作範囲規制部材により二分される前記スイッチレバーの全操作範囲のうち、常時スイッチレバーの引き操作が許容される操作範囲前半部での引き操作により前記照明スイッチがオンされて前記照明具が点灯される電動工具。
【請求項２】
請求項１記載の電動工具であって、前記照明スイッチに常時閉形のマイクロスイッチを用い、前記スイッチレバーを引き操作しない状態では該マイクロスイッチの作動ボタンが前記スイッチレバーに押されて当該マイクロスイッチがオフする構成とした電動工具。
【請求項３】
請求項１記載の電動工具であって、前記操作範囲規制部材は、前記規制位置に移動させると前記スイッチレバーの移動経路に進入して該スイッチレバーの引き操作を規制し、前記非規制位置に移動させると前記スイッチレバーの移動経路から退出して該スイッチレバーの引き操作を許容する規制凸部を備えた構成とした電動工具。
【発明の詳細な説明】
【技術分野】
【０００１】
この発明は、例えば卓上の丸鋸盤あるいは孔開け用のドリル等の電動工具であって、主として加工部位を明るく照らすための照明装置を備えた電動工具に関する。
【背景技術】
【０００２】
この種の電動工具は、使用者が把持する操作ハンドルを工具本体に備えており、通常この操作ハンドルにトリガ形式のスイッチレバーが配置されている。操作ハンドルを把持した手の指先でこのスイッチレバーを引き操作するとメインスイッチがオンして工具本体に内蔵した電動モータが起動し、これにより当該電動工具を使用することができる。
また、この種の電動工具には、上記トリガ形式のスイッチレバーとは別に、例えば押しボタン形式のロックオフスイッチが設けられている。このロックオフスイッチは、通常規制位置にばね付勢されており、この通常状態ではスイッチレバーの引き操作が規制されてメインスイッチをオンさせることができないのでメインスイッチがオフ状態にロックされ、その結果電動モータの不用意な起動が防止される。逆に、ばね付勢に抗してロックオフスイッチを非規制位置に切り換えればスイッチレバーの引き操作によりメインスイッチがオンするため電動モータを起動させて当該電動工具を使用することができる。
このようなロックオフ機構を備えた電動工具に、照明装置を備え付けたものが従来より提供されている。例えば、特開平11-170203号公報に記載された携帯用の丸鋸盤は、ロックオフスイッチとしてのセーフティレバーに照明スイッチの機能を併せ持たせた構成としたもので、セーフティレバーを非規制位置に切り換え操作（ロックオフ状態解除操作）すると電球（照明具）が点灯される構成となっていた。係る構成の照明装置によれば、別途専用のスイッチを設けることなく、必要時に照明具の点灯、消灯を行うことができる。
【特許文献１】特開平11-170203号公報
【発明の開示】
【発明が解決しようとする課題】
【０００３】
しかしながら、上記従来の照明装置によれば、照明具を点灯させるためにはロックオフスイッチとしてのセーフティレバーを非規制位置に解除操作する必要があるため、照明具を点灯させた状態ではスイッチレバーを引き操作すれば電動モータが起動する状態となり、従ってスイッチレバーの誤操作により電動モータが不用意に起動されるおそれがあった。
また、本来ロックオフスイッチは、メインスイッチをオンオフ操作するためのスイッチレバーとは異なって、電動モータが不用意に起動しないようにするために比較的操作しづらい場所に配置される。このため、このロックオフスイッチを照明装置の点灯スイッチとして兼用した上記従来の照明装置では照明スイッチとしての操作性がよくないという問題があった。
本発明は、この問題に鑑みなされたもので、ロックオフスイッチの操作状態（スイッチレバーの操作規制状態）に関係なく照明具を点灯させることができ、また従来のようにロックオフボタンを照明スイッチに兼用した場合における操作性低下の問題のない照明装置を備えた電動工具を提供することを目的とする。
【課題を解決するための手段】
【０００４】
このため、本発明は特許請求の範囲の各請求項に記載した構成の電動工具とした。
請求項１記載の電動工具によれば、スイッチレバーの全操作範囲が操作範囲規制部材によって前半と後半とに二分されており、そのうち操作範囲前半部（前半の範囲）における当該操作レバーの引き操作によって照明スイッチがオンされる。操作範囲規制部材を、非規制位置に移動操作すると、スイッチレバーを操作範囲前半部から操作範囲後半部に至って当該スイッチレバーを全操作範囲にわたって引き操作することができる。スイッチレバーを操作範囲後半部にまで引き操作すると、照明スイッチが引き続きオン状態に保持されるとともに、メインスイッチがオンして工具本体に内臓した電動モータが記載し、これにより当該電動工具を使用することができる。
このように、比較的操作しやすい部位に配置されたスイッチレバーを引き操作することにより照明具を点灯することができるので、従来ロックオフスイッチを照明具点灯用のスイッチに兼用した場合のような操作性の悪さをなくすことができる。
また、操作範囲規制部材を非規制位置に移動操作すると、スイッチレバーを操作範囲後半部に至って引き操作することができ、これによって内蔵した電動モータが起動する。これに対して、操作範囲規制部材を規制位置に位置させた状態では、スイッチレバーは操作範囲前半部でのみ引き操作することができ、操作範囲後半部まで引き操作することができない。このため、操作範囲規制部材を規制位置に位置させた状態でスイッチレバーを引き操作した場合には、照明具を点灯させることができるものの、電動モータを起動させることができず、従って電動モータの不用意な起動を防止することができる。このことから、操作範囲規制部材は、ロックオフスイッチとしての機能を備えている。
請求項２記載の電動工具によれば、別途特別の部材を用いることなく、トリガ形式のスイッチレバーの動きを直接利用して照明スイッチをオンオフさせることができる。
請求項３記載の電動工具によれば、簡単な構成でスイッチレバーの誤操作を確実に防止することができる。
【発明を実施するための最良の形態】
【０００５】
次に、本発明の実施形態を図１〜図７に基づいて説明する。図１は、携帯用の電動丸鋸盤１を示している。本実施形態では、電動工具の一例としてこの電動丸鋸盤１を例示する。この電動丸鋸盤１は、電動モータ（図示省略）を内蔵した工具本体２を備えている。この工具本体２の先端側（図において右側）には、切断材（図示省略）の上面に載せ掛けるベース３が支軸４を介して上下に傾動可能に支持されている。また、工具本体２の先端側には、上記電動モータにより回転するスピンドル５が配置され、このスピンドル５に円形の鋸刃（図示省略）が装着される。鋸刃のベース３よりも上側がブレードケース６で覆われ、ベース３より下側が開閉式のセーフティカバー７で覆われるようになっている。このブレードケース６の側部には、切断部位を明るく照らすための照明具３１が配置されている。本実施形態では、この照明具３１には、二つのＬＥＤ（発光ダイオード）が用いられている。この二つの照明具３１，３１は、透明のケース３２に収容されて、これらに切断粉が付着しないようになっている。この照明具３１，３１は、後述する照明スイッチ３３がオン、オフされることによって点灯、消灯する。
また、工具本体２に内蔵した電動モータおよび上記照明具３１，３１は、当該工具本体２の後部に装着したバッテリ８を電源としている。
【０００６】
次に、工具本体２の上部には、使用者が把持するハンドル部１０が設けられている。このハンドル部１０は、図示するように工具本体２の前部から後部に至ってほぼＤ字形に掛け渡されている。このハンドル部１０のほぼ中央に、トリガ形式のスイッチレバー１１と押しボタン形式のロックオフスイッチ２０が配置されている。このスイッチレバー１１とロックオフスイッチ２０の詳細が、図２以下に示されている。
スイッチレバー１１は、支軸１３を介して傾動可能に支持されている。このスイッチレバー１１は、圧縮ばね１４によりその傾動先端側をハンドル部１０の内周側に突き出す方向（図２において反時計回り方向）に付勢されている。このスイッチレバー１１の上面側（付勢方向背面側）に、メインスイッチ１５と上記ロックオフスイッチ２０が配置されている。
メインスイッチ１５には、常時開形のスイッチが用いられている。このメインスイッチ１５は、その作動ボタン１５ａをスイッチレバー１１側に向けた状態でハンドル部１０内に固定されている。このメインスイッチ１５の作動ボタン１５ａは突き出し方向にばね付勢されている。スイッチレバー１１が使用者の指先によってオン方向（図２において時計回り方向）一定角度以上引き操作されると、作動ボタン１５ａがそのばね付勢力に抗して押し込まれることによってメインスイッチ１５がオンする。メインスイッチ１５は、当該丸鋸盤１の駆動モータとしての電動モータの駆動回路に組み込まれている。このため、メインスイッチ１５がオンすると電動モータが起動する。スイッチレバー１１の引き操作を止めると、当該スイッチレバー１１は圧縮ばね１４によりオフ側（図２において反時計回り方向）に戻される。スイッチレバー１１がオフ側に戻されると、メインスイッチ１５の作動ボタンがそのばね付勢力によって突き出し方向に戻されて当該メインスイッチ１５がオフする。スイッチレバー１１の引き操作に伴うメインスイッチ１５のオンオフ操作については、従来公知の電動工具と同様であり、本実施形態において特に変更を要しない。
【０００７】
次に、図３および図８に示すようにロックオフスイッチ２０は、両端部が半球形状に形成された棒状のスイッチロッド２１を備えている。このスイッチロッド２１は、その両端部がそれぞれハンドル部１０の側面から突き出す長さを有しており、ハンドル部１０の幅方向（図３および図８において左右方向）に移動可能に支持されている。このスイッチロッド２１には、側方へ概ねＵ字形に張り出すばね収容部２１ａが一体に設けられている。このばね収容部２１ａの内部に一つの圧縮ばね２２が収容されている。ばね収容部２１ａの両端部にはそれぞれ内側へ張り出す収容壁部２１ｂ〜２１ｂが形成されて、当該ばね収容部２１ａの両端開口部の幅が狭められている。この収容壁部２１ｂ〜２１ｂに圧縮ばね２２の端部が弾性的に当接されて、当該圧縮ばね２２のばね収容部２１ａからの脱落が防止されている。
ばね収容部２１ａの両端部においてそれぞれ収容壁部２１ｂ，２１ｂ間には、ハンドル部１０の内部に張り出し形成した壁部１０ａが相対移動可能な状態で入り込んでいる。この両壁部１０ａ，１０ａの先端部に対してもそれぞれ圧縮ばね２２が弾性的に当接されている。このため、図８に示すようにスイッチロッド２１は、その軸方向へ何ら移動操作しない状態では、その両端部がそれぞれハンドル部１０の側面からほぼ同じ寸法だけ突き出された位置（非操作位置）に保持される。
スイッチロッド２１の、ハンドル部１０の側面から突き出された先端部を押し込み操作することにより当該スイッチロッド２１をその軸方向に移動操作することができる。スイッチロッド２１の一方または他方の端部を押し込み操作して、当該スイッチロッド２１を図８において左方または右方へ移動操作すると、いずれの側へ移動操作しても壁部１０ａが収容壁部２１ｂ，２１ｂ間からばね収容部２１ａの内側へ進入して圧縮ばね２２の一端側が当該壁部１０ａにより押されるため圧縮ばね２２が圧縮される。従って、スイッチロッド２１の移動操作は、圧縮ばね２２の付勢力に抗してなされる一方、端部の押し込み操作を止めると当該スイッチロッド２１は圧縮ばね２２により上記非操作位置に戻される。
【０００８】
スイッチロッド２１のばね収容部２１ａの背面側であってスイッチレバー１１に対向する面には規制突起２１ｃが設けられている。この規制突起２１ｃに対向して、スイッチレバー１１の背面側には係合凸部１１ａが設けられている。この係合凸部１１ａが規制突起２１ｃに当接することによってスイッチレバー１１の引き操作角度が一定角度以下（後述する操作範囲前半部）に規制される。
スイッチレバー１１の引き操作が規制された状態（ロックオフ状態）が図５に示されている。このロックオフ状態では、スイッチレバー１１の引き操作角度が不十分であるため、メインスイッチ１５の作動ボタン１５ａが押し操作されず、従って当該丸鋸盤１を起動させることができない。このように、スイッチロッド２１のいずれか一方の端部を押し込み操作しない状態では、スイッチレバー１１の引き操作可能な範囲が、その全範囲の中途位置よりも前側に規制される。本実施形態におけるロックオフスイッチ２０が特許請求の範囲に記載した操作範囲規制部材に相当する。
これに対して、図７に示すようにスイッチロッド２１のいずれか一方の端部（図では右側端部）を圧縮ばね２２に抗して押し込み操作すると、これと一体で規制凸部２１ｃがスイッチレバー１１の係合凸部１１ａに対して幅方向にずれた位置（非規制位置）に移動する。この状態では、スイッチレバー１１を引き操作しても、その規制突起２１ｃは係合凸部１１ａに当接しない。このため、使用者がスイッチロッド２１のいずれか一方の端部を押し込み操作し、この押し込み操作状態を保持しつつスイッチレバー１１を引き操作すれば、当該スイッチレバー１１を上記のように中途位置で規制されることなくその全範囲（操作範囲前半部と操作範囲後半部の双方）にわたって引き操作することができる。図６および図７に示すようにスイッチレバー１１がその引き操作可能な全範囲にわたって引き操作されると、メインスイッチ１５の作動ボタン１５ａがスイッチレバー１１によって押し込み操作されて当該メインスイッチ１５がオンし、これにより電動モータが起動して当該丸鋸盤１を起動させることができる。
【０００９】
このように、操作範囲規制部材としてのロックオフスイッチ２０の操作により、スイッチレバー１１の引き操作角度がその全引き操作範囲の中途位置で規制されてメインスイッチ１５をオン操作できない状態（ロックオフ状態）と、スイッチレバー１１をその全引き操作範囲にわたって引き操作することができ、これによりメインスイッチ１５をオン操作できる状態（ロックオフ解除状態）とに切り換え操作することができる。以下、前者のロックオフ状態において、スイッチレバー１１を引き操作可能な範囲を操作範囲前半部といい、引き操作できない残りの範囲を操作範囲後半部という。
本実施形態の電動丸鋸盤１は、上記トリガ形式のスイッチレバー１１を照明装置３０の点灯スイッチとして利用した構成を備えている。すなわち、ロックオフ状態またはロックオフ解除状態に関係なくスイッチレバー１１を操作範囲前半部で引き操作すると前記二つの照明具３１，３１が点灯される。
ハンドル部１０の内部であってスイッチレバー１１の支軸１３に対してメインスイッチ１５とは反対側に、照明スイッチ３３が配置されている。この照明スイッチ３３には、常時閉形のマイクロスイッチが用いられている。スイッチレバー１１を引き操作しない状態では、照明スイッチ３３の作動ボタン３３ａがスイッチレバー１１により押し込み操作される。この状態では、照明スイッチ３３がオフされるため、照明具３１，３１は点灯しない。
【００１０】
使用者がスイッチレバー１１を引き操作すると、照明スイッチ３３の作動ボタン３３ａからスイッチレバー１１が離間するため、当該作動ボタン３３ａがその内蔵したばね力によって突き出され、これにより照明スイッチ３３がオンして照明具３１，３１が点灯する。照明スイッチ３３をオンさせるために必要なスイッチレバー１１の引き操作角度は、前記操作範囲前半部内に設定されている。この条件を満たすように、照明スイッチ３３、操作範囲規制部材としてのロックオフスイッチ２０による規制位置およびメインスイッチ１５の相対位置等が適切に設定されている。
このため、ロックオフ状態（スイッチロッド２１を操作しない状態）であってもスイッチレバー１１を引き操作すれば、照明具３１，３１を点灯させることができる。スイッチレバー１１の引き操作を止めると、スイッチレバー１１が圧縮ばね１４によりオフ側（図２において時計回り方向）に戻されるため、照明スイッチ３３の作動ボタン３３ａが押し込まれて当該照明スイッチ３３がオフされ、従って照明具３１，３１が消灯される。
また、ロックオフスイッチ２０のスイッチロッド２１を押し込み操作してロックオフ状態を解除した状態で、スイッチレバー１１を引き操作すると、操作範囲前半部におけるスイッチレバー１１の引き操作によって照明スイッチ３３がオンして照明具３１，３１が点灯され、引き続きスイッチレバー１１を引き操作して操作範囲後半部に至ると、メインスイッチ１５の作動ボタン１５ａが押し込み操作されて当該メインスイッチ１５がオンし、これにより電動モータが起動する。従って、使用者は照明具３１，３１の点灯状態を維持しつつ、工具本体２を起動させて切断加工を行うことができる。
【００１１】
以上のように構成した本実施形態の電動丸鋸盤１によれば、照明具３１，３１を点灯させるための照明スイッチ３３のオンオフ操作が、当該電動丸鋸盤１を起動操作するためのトリガ形式のスイッチレバー１１を引き操作することによりなされる構成であり、かつスイッチレバー１１を操作範囲前半部で引き操作すれば照明スイッチ３３をオンして照明具３１，３１を点灯させることができるので、ロックオフスイッチ２０の状態に関係なく照明具３１，３１を点灯させることができる。このことから、ロックオフスイッチ２０を押し込み操作せずロックオフ状態としたままであっても照明具３１，３１を点灯させることができるので、スイッチレバー１１の誤操作による当該丸鋸盤１の不用意な起動を防止しつつ、照明装置３０を利用することができる。
また、ロックオフスイッチ２０とは異なって、ハンドル部１０の比較的操作し易い位置に配置されたスイッチレバー１１を照明具点灯用の操作レバーとして利用する構成であるので、使い勝手のよい照明装置３０とすることができる。
【００１２】
以上説明した実施形態には種々変更を加えることができる。例えば、工具本体２にＤ形に設けたハンドル部１０にスイッチレバー１１が設けられた形態の電動丸鋸盤１を例示したが、ストレートなハンドル部等その他の形態のハンドル部に設けられた本体起動用のスイッチレバーに適用することもできる。
また、照明スイッチ３３として常時閉形のマイクロスイッチを用いる構成を例示したが、メインスイッチ１５と同様常時開形のマイクロスイッチを照明スイッチとして用いることもできる。この場合、スイッチレバー１１を引き操作しない状態では、作動ボタンが突き出され、スイッチレバー１１を一定角度引き操作すると作動ボタンが押し込み操作されるよう照明スイッチの向きおよび姿勢を変更する等すればよい。
さらに、操作範囲規制部材としてのロックオフスイッチ２０として棒状のスイッチロッド２１をその軸方向に移動操作する形態のものを例示したが、これに限らずレバーを回動操作する形態のロックオフスイッチを備えた電動工具に適用することもできる。
また、本発明に係る照明装置は、電動丸鋸盤１に限らず、電動ドリル、電動ねじ締め機等のその他の電動工具にも広く適用することができる。
【図面の簡単な説明】
【００１３】
【図１】照明装置を備えた携帯用の電動丸鋸盤の側面図である。本図では、円形の切断刃を取り外した状態が示されている。
【図２】ハンドル部の内部構造を示す図であって、スイッチレバーおよびロックオフスイッチ周辺の側面図である。本図は、スイッチレバーを操作していない状態を示している。
【図３】図２の(3)-(3)線矢視図であって、スイッチレバーおよびロックオフスイッチ周辺の縦断面図である。本図は、スイッチレバーを操作していない状態を示している。
【図４】ハンドル部の内部構造を示す図であって、スイッチレバーおよびロックオフスイッチ周辺の側面図である。本図は、ロックオフ状態においてスイッチレバーを引き操作した状態を示している。
【図５】図４の(5)-(5)線矢視図であって、スイッチレバーおよびロックオフスイッチ周辺の縦断面図である。本図は、ロックオフ状態においてスイッチレバーを引き操作した状態を示している。
【図６】ハンドル部の内部構造を示す図であって、スイッチレバーおよびロックオフスイッチ周辺の側面図である。本図は、ロックオフ解除状態においてスイッチレバーを引き操作した状態を示している。
【図７】図６の(7)-(7)線矢視図であって、スイッチレバーおよびロックオフスイッチ周辺の縦断面図である。本図は、ロックオフ解除状態においてスイッチレバーを引き操作した状態を示している。
【図８】ロックオフスイッチを図２中矢印(8)方向から見た図である。
【図９】図８の(9)-(9)線矢視図であって、ロックオフスイッチの縦断面図である。
【符号の説明】
【００１４】
１…電動丸鋸盤（電動工具）
２…工具本体
３…ベース
４…支軸
５…スピンドル
６…ブレードケース
７…セーフティレバー
８…バッテリ
１０…ハンドル部、１０ａ…壁部
１１…スイッチレバー、１１ａ…係合凸部
１３…支軸
１４…圧縮ばね
１５…メインスイッチ、１５ａ…作動ボタン
２０…ロックオフスイッチ（操作範囲規制部材）
２１…スイッチロッド、２１ａ…ばね収容部、２１ｂ…収容壁部、２１ｃ…規制突起
２２…圧縮ばね
３０…照明装置
３１…照明具（ＬＥＤ）
３２…ケース
３３…照明スイッチ、３３ａ…作動ボタン
【図１】
2005335005.tif 000003
【図２】
2005335005.tif 000004
【図３】
2005335005.tif 000005
【図４】
2005335005.tif 000006
【図５】
2005335005.tif 000007
【図６】
2005335005.tif 000008
【図７】
2005335005.tif 000009
【図８】
2005335005.tif 000010
【図９】
2005335005.tif 000011